【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
表示パネルと、
前記表示パネルに入射させる光を発光する光源と、
前記光源の前記発光を制御する制御部と、
を備え、
前記制御部は、
第１周期で前記発光を制御する第１モードと、
前記第１周期よりも長い第２周期で前記発光を制御する第２モードと、
を有し、
前記第１モードでは、前記制御部は、前記第１周期内において、第１電圧信号と、前記第１電圧信号の電圧の絶対値よりも電圧の絶対値が小さい第２電圧信号と、を交互に前記光源に入力させ、前記第１電圧信号の期間と前記第２電圧信号の期間との比率を前記第１周期の中で変化させることで前記発光の明るさを変化させ、
前記第２モードでは、前記制御部は、前記第２周期内において、第３電圧信号と、前記第３電圧信号の電圧の絶対値よりも電圧の絶対値が小さい第４電圧信号と、を交互に前記光源に入力させ、前記第３電圧信号の期間と前記第４電圧信号の期間との比率を前記第２周期の中で変化させることで前記発光の明るさを変化させ、
前記制御部は、
前記発光の明るさが暗い第１調光帯においては、前記第１モードにより前記発光の明るさを変化させ、前記発光の明るさが前記第１調光帯における明るさよりも明るい第２調光帯においては、前記第２モードにより前記発光の明るさを変化させる、
または、
前記第１調光帯においては、前記第２モードにより前記発光の明るさを変化させ、前記第２調光帯においては、前記第１モードにより前記発光の明るさを変化させる、
ことを特徴とする表示装置。
【請求項２】
表示パネルと、
前記表示パネルに入射させる光を発光する光源と、
前記光源の前記発光を制御する制御部と、
を備え、
前記制御部は、
第１周期で前記発光を制御する第１モードと、
前記第１周期よりも長い第２周期で前記発光を制御する第２モードと、
を有し、
前記第１モードでは、前記制御部は、前記第１周期で繰り返す第１制御信号を生成し、前記第１制御信号は、第１信号と、前記第１信号の電圧の絶対値よりも電圧の絶対値が小さい第２信号と、を有し、前記制御部は前記第１制御信号に基づく第１駆動信号を前記光源に入力させ、前記制御部は、前記第１信号の期間と前記第２信号の期間との比率を前記第１周期の中で変化させることで前記発光の明るさを変化させ、
前記第２モードでは、前記制御部は、前記第２周期で繰り返す第２制御信号を生成し、前記第２制御信号は、第３信号と、前記第３信号の電圧の絶対値よりも電圧の絶対値が小さい第４信号と、を有し、前記制御部は前記第２制御信号に基づく第２駆動信号を前記光源に入力させ、前記制御部は、前記第３信号の期間と前記第４信号の期間との比率を前記第２周期の中で変化させることで前記発光の明るさを変化させ、
前記制御部は、
前記発光の明るさが暗い第１調光帯においては、前記第１モードにより前記発光の明るさを変化させ、
前記発光の明るさが前記第１調光帯における明るさよりも明るい第２調光帯においては、前記第２モードにより前記発光の明るさを変化させる、
または、
前記第１調光帯においては、前記第２モードにより前記発光の明るさを変化させ、
前記第２調光帯においては、前記第１モードにより前記発光の明るさを変化させる、
ことを特徴とする表示装置。
【請求項３】
前記第１信号の前記期間における前記第１駆動信号、及び、前記第２信号の前記期間における前記第１駆動信号のいずれかの電圧は零であり、
前記第３信号の前記期間における前記第２駆動信号、及び、前記第４信号の前記期間における前記第２駆動信号のいずれかの電圧は零であることを特徴とする請求項２記載の表示装置。
【請求項４】
前記第２周期は、前記表示パネルの駆動のフレーム周期と同じ長さであることを特徴とする請求項１〜３のいずれか記載の表示装置。
【請求項５】
前記制御部は、前記制御部に入力される調光入力に対して、前記光源の明るさが直線的に変化するように、前記光源を制御することを特徴とする請求項１〜４のいずれか１つに記載の表示装置。
【請求項６】
前記第２周期の長さは、前記第１周期の長さの２倍以上であることを特徴とする請求項１〜５のいずれか１つに記載の表示装置。
【請求項７】
前記第２周期の長さは、前記第１周期の長さの整数倍であることを特徴とする請求項１〜５のいずれか１つに記載の表示装置。
【請求項８】
前記制御部は、前記表示パネルの温度に基づいて、前記第１調光帯と前記第２調光帯との区分の明るさを変更することを特徴とする請求項１〜７のいずれか１つに記載の表示装置。
【手続補正２】
【補正対象書類名】明細書
【補正対象項目名】０００７
【補正方法】変更
【補正の内容】
【０００７】
本発明の実施形態によれば、表示パネルと、前記表示パネルに入射させる光を発光する光源と、前記光源の前記発光を制御する制御部と、を備えた表示装置が提供される。前記制御部は、第１周期で前記発光を制御する第１モードと、前記第１周期よりも長い第２周期で前記発光を制御する第２モードと、を有する。  
前記第１モードでは、前記制御部は、前記第１周期内において、第１電圧信号と、前記第１電圧信号の電圧の絶対値よりも電圧の絶対値が小さい第２電圧信号と、を交互に前記光源に入力させ、前記第１電圧信号の期間と前記第２電圧信号の期間との比率を前記第１周期の中で変化させることで前記発光の明るさを変化させる。  
前記第２モードでは、前記制御部は、前記第２周期内において、第３電圧信号と、前記第３電圧信号の電圧の絶対値よりも電圧の絶対値が小さい第４電圧信号と、を交互に前記光源に入力させ、前記第３電圧信号の期間と前記第４電圧信号の期間との比率を前記第２周期の中で変化させることで前記発光の明るさを変化させる。  
前記制御部は、前記発光の明るさが暗い第１調光帯においては、前記第１モードにより前記発光の明るさを変化させ、前記発光の明るさが前記第１調光帯における明るさよりも明るい第２調光帯においては、前記第２モードにより前記発光の明るさを変化させる。または、前記制御部は、前記第１調光帯においては、前記第２モードにより前記発光の明るさを変化させ、前記第２調光帯においては、前記第１モードにより前記発光の明るさを変化させる。
本発明の実施形態によれば、表示パネルと、前記表示パネルに入射させる光を発光する光源と、前記光源の前記発光を制御する制御部と、を備えた表示装置が提供される。前記制御部は、第１周期で前記発光を制御する第１モードと、前記第１周期よりも長い第２周期で前記発光を制御する第２モードと、を有する。  
前記第１モードでは、前記制御部は、前記第１周期で繰り返す第１制御信号を生成し、前記第１制御信号は、第１信号と、前記第１信号の電圧の絶対値よりも電圧の絶対値が小さい第２信号と、を有し、前記制御部は前記第１制御信号に基づく第１駆動信号を前記光源に入力させ、前記制御部は、前記第１信号の期間と前記第２信号の期間との比率を前記第１周期の中で変化させることで前記発光の明るさを変化させる。  
前記第２モードでは、前記制御部は、前記第２周期で繰り返す第２制御信号を生成し、前記第２制御信号は、第３信号と、前記第３信号の電圧の絶対値よりも電圧の絶対値が小さい第４信号と、を有し、前記制御部は前記第２制御信号に基づく第２駆動信号を前記光源に入力させ、前記制御部は、前記第３信号の期間と前記第４信号の期間との比率を前記第２周期の中で変化させることで前記発光の明るさを変化させる。  
前記制御部は、前記発光の明るさが暗い第１調光帯においては、前記第１モードにより前記発光の明るさを変化させ、前記発光の明るさが前記第１調光帯における明るさよりも明るい第２調光帯においては、前記第２モードにより前記発光の明るさを変化させる。または、前記制御部は、前記第１調光帯においては、前記第２モードにより前記発光の明るさを変化させ、前記第２調光帯においては、前記第１モードにより前記発光の明るさを変化させる。